(57)【要約】      （修正有）【課題】簡易な構造で縫合針の把持状態の維持可能とすると共に長寿命化を図ることが可能な管楽器用の持針器を提供する。【解決手段】併設された棒状の本体部３ａ，３ｂと、本体部３ａ，３ｂの長手方向の一端側に設けられた把持部１１ａ，１１ｂと、同他端側に設けられた柄部１３ａ，１３ｂと、本体部３ａ，３ｂの対向する内面３１ａ，３１ｂに設けられ本体部３ａ，３ｂ相互間を相対回転自在に結合する結合部５と、本体部３ａ，３ｂの柄部１３ａ，１３ｂ間に取り付けられ柄部１３ａ，１３ｂを相互に離間させると共に把持部１１ａ，１１ｂを相互に当接させる弾性部材７とを備え、柄部１３ａ，１３ｂの他端部２７ａ，２７ｂから結合部５の回転軸心までの寸法Ｌ１が、把持部１１ａ，１１ｂの一端部１５ａ，１５ｂから結合部５の回転軸心までの寸法Ｌ２よりも大きい。【選択図】図１
0003217532.tif 000002
【実用新案登録請求の範囲】
【請求項１】
医療用の縫合針を把持する持針器であって、
一対の併設された棒状の本体部と、
該本体部の長手方向の一端側に設けられた把持部と、
前記本体部の前記長手方向の他端側に設けられた柄部と、
前記把持部と前記柄部との間で前記本体部の対向する内面に設けられ前記本体部相互間を相対回転自在に結合する結合部と、
前記本体部の柄部間に取り付けられ該柄部を相互に離間させると共に前記把持部を相互に当接させる弾性部材とを備え、
前記柄部の前記結合部に対する遠位の端部から前記結合部の回転軸心までの前記長手方向での寸法が、前記把持部の前記結合部に対する遠位の端部から前記結合部の回転軸心までの前記長手方向での寸法よりも長い、
ことを特徴とする持針器。
【請求項２】
請求項１記載の持針器であって、
前記本体部は、前記回転軸心に沿った方向の少なくとも一方に、縫合用の糸を滑らせるための滑り面を有し、
前記滑り面は、前記結合部の両側にわたって連続する、
ことを特徴とする持針器。
【請求項３】
請求項１又は２記載の持針器であって、
前記結合部は、前記本体部相互を前記本体部が併設された方向で合わせる合わせ面を有し、
前記合わせ面は、前記滑り面に隣接する部分で前記滑り面と面一の面上又は該面から前記回転軸心に沿った方向の内側に偏倚した面上にのみ前記回転軸心に沿った方向の端部を有する、
ことを特徴とする持針器。
【請求項４】
請求項３記載の持針器であって、
前記合わせ面は、前記回転軸心と一致する曲率中心を有する曲面状である、
ことを特徴とする持針器。
【請求項５】
請求項１〜４の何れか一項に記載の持針器であって、
前記結合部は、前記回転軸心に沿った方向において双方の前記本体部の前記内面の範囲内に設けられた、
ことを特徴とする持針器。
【考案の詳細な説明】
【技術分野】
【０００１】
本考案は、医療用の縫合針を把持する持針器に関する。
【背景技術】
【０００２】
従来の持針器としては、例えば特許文献１に記載のものがある。
【０００３】
この持針器は、一対の棒状の本体部を一端寄りの部分で交差させ、交差部で本体部を相互に回転自在に軸支している。本体部の他端は、板バネにより結合され、相互に離間する方向に付勢されている。
【０００４】
この板バネの付勢により、持針器は、本体部の一端に設けられている把持部を開状態に保持している。縫合針を把持する際は、医師等が本体部の柄部を握ることにより把持部を閉じることで、把持部に縫合針を把持させることができる。この縫合針の把持状態は、本体部の対向する内面に設けられた係合部が係合することで維持される。
【０００５】
かかる従来の持針器では、縫合針の把持状態の維持に係合部を用いるため、その分構造が煩雑化すると共に、縫合針の把持及び把持の解除を繰り返すことで係合部が損傷しやすく、持針器の寿命を短くするという問題がある。
【先行技術文献】
【特許文献】
【０００６】
【特許文献１】特許第４６１９８０８号
【考案の概要】
【考案が解決しようとする課題】
【０００７】
本考案が解決しようとする問題点は、縫合針の把持状態の維持のために構造が煩雑化すると共に持針器の寿命が短くなる点である。
【課題を解決するための手段】
【０００８】
本考案は、簡易な構造で縫合針の把持状態の維持を可能とすると共に長寿命化を図るために、医療用の縫合針を把持する持針器であって、一対の併設された棒状の本体部と、該本体部の長手方向の一端側に設けられた把持部と、前記本体部の前記長手方向の他端側に設けられた柄部と、前記把持部と前記柄部との間で前記本体部の対向する内面に設けられ前記本体部相互間を相対回転自在に結合する結合部と、前記本体部の柄部間に取り付けられ該柄部を相互に離間させると共に前記把持部を相互に当接させる弾性部材とを備え、前記柄部の前記結合部に対する遠位の端部から前記結合部の回転軸心までの前記長手方向での寸法が、前記把持部の前記結合部に対する遠位の端部から前記結合部の回転軸心までの前記長手方向での寸法よりも長いことを最も主な特徴とする。
【考案の効果】
【０００９】
本考案の持針器によれば、把持部間に縫合針を介在させて弾性部材の弾性力により把持状態を維持することができ、簡易な構造で縫合針の把持状態の維持を可能とすると共に係合部を不要として長寿命化を図ることができる。
【００１０】
しかも、本考案の持針器では、柄部の長さが把持部の長さよりも長いため、弾性部材の弾性力を弱めつつ縫合針を確実に把持することを可能とし、縫合針の把持や把持の解除を行う際の作業者の操作力を弱めて操作を円滑に行わせることができる。
【図面の簡単な説明】
【００１１】
【図１】本発明の一実施例に係る持針器を示す平面図である。
【図２】図１の持針器の開状態を示す平面図である。
【図３】図１の持針器の側面図である。
【図４】図１の持針器の一部を分解した状態で示す平面図である。
【図５】図１のＩＶ−ＩＶ線に係る断面図である。
【図６】変形例に係る持針器の結合部を示す断面図である。
【図７】他の変形例に係る持針器の結合部を示す断面図である。
【考案を実施するための形態】
【００１２】
簡易な構造で縫合針の把持状態の維持を可能とすると共に長寿命化を図るという目的を、弾性部材の弾性力によって縫合針の把持状態を維持する持針器によって実現した。
【００１３】
すなわち、持針器は、一対の併設された棒状の本体部と、この本体部の長手方向の一端側に設けられた把持部と、本体部の長手方向の他端側に設けられた柄部と、把持部と柄部との間で本体部の対向する内面に設けられ、本体部相互間を相対回転自在に結合する結合部と、本体部の柄部間に取り付けられ、柄部を相互に離間させると共に把持部を相互に当接させる弾性部材とを備える。
【００１４】
柄部の結合部に対する遠位の端部から結合部の回転軸心までの長手方向での寸法が、把持部の結合部に対する遠位の端部から結合部の回転軸心までの長手方向での寸法よりも長い。
【００１５】
本体部は、回転軸心に沿った方向の少なくとも一方に、縫合用の糸を滑らせるための滑り面を有し、滑り面は、結合部の両側にわたって連続する構成としてもよい。
【００１６】
結合部は、本体部相互を本体部が併設された併設方向で合わせる合わせ面を有し、合わせ面は、滑り面に隣接する部分で滑り面と面一の面上のみ又は当該面から回転軸心方向の内側に偏倚した面上にのみ回転軸心に沿った方向の端部を有する構成としてもよい。
【００１７】
また、合わせ面は、回転軸心と一致する曲率中心を有する曲面状としてもよい。
【００１８】
結合部は、回転軸心に沿った方向において双方の本体部の内面の範囲内に設けられた構成としてもよい。
【００１９】
以下、本発明の一実施例に係る持針器について図面を参照して説明する。
【００２０】
［持針器の構成］
図１は、本発明の一実施例に係る持針器を示す平面図、図２は、同開状態の平面図、図３は、同側面図である。図４は、図１のＩＶ−ＩＶ線に係る断面図、図５は、図１の持針器の一部を分解した状態で示す平面図である。
【００２１】
持針器１は、一対の本体部３ａ，３ｂと、結合部５と、弾性部材７とを備えている。
【００２２】
本体部３ａ，３ｂは、併設された棒状であり、結合部５により相対回転自在に結合されている。本体部３ａ，３ｂは、例えばチタンやステンレス鋼等の、水分や薬液等に対する耐腐食性や生態適合性を有する金属によって形成されている。
【００２３】
本体部３ａ，３ｂの回転軸心Ｏに沿った方向（以下、「回転軸心方向」と称する）の両側面は、縫合用の糸を滑らせるための滑り面９ａ，９ｂを構成している。滑り面９ａ，９ｂは、本体部３ａ，３ｂの長手方向において結合部５の両側に渡って連続している。
【００２４】
本体部３ａ，３ｂの長手方向の一端側には、把持部１１ａ，１１ｂが設けられ、本体部３ａ，３ｂの他端側には、柄部１３ａ，１３ｂが設けられている。
【００２５】
把持部１１ａ，１１ｂは、縫合針（図示せず）を相互間で挟持して把持する部分である。なお、把持部１１ａ，１１ｂは、少なくとも後述する弾性部材７の弾性力によって相互に当接する範囲をいう。本実施例では、結合部５に対する本体部３ａ，３ｂの一端側全体が把持部１１ａ，１１ｂを構成している。ただし、把持部１１ａ，１１ｂは、本体部３ａ，３ｂの一端側の一部によって構成することも可能である。
【００２６】
把持部１１ａ，１１ｂは、結合部５に対する長手方向の遠位の一端部１５ａ，１５ｂから近位の他端部１７ａ，１７ｂにかけて、幅方向の寸法及び回転軸心方向の寸法が漸次増加するように形成されている。また、把持部１１ａ，１１ｂは、一端部１５ａ，１５ｂが漸次回転軸心方向に湾曲している。これらにより、把持部１１ａ，１１ｂは、縫合針の把持を行い易いものとなっている。ただし、把持部１１ａ，１１ｂの一端部１５ａ，１５ｂは、湾曲せずに直状としてもよい。
【００２７】
なお、幅方向とは、本体部３ａ，３ｂの幅方向であり、本体部３ａ，３ｂの長手方向及び回転軸心方向に交差する方向をいう。
【００２８】
把持部１１ａ，１１ｂの幅方向の内面１９ａ，１９ｂは、縫合針を把持する際に縫合針に接触する部分であるため、滑り止め加工が施され、或は滑り止め部材が貼り付けられている。ただし、滑り止め加工や滑り止め部材は省略することも可能である。滑止め部材としては、特に限定されるものではないが、例えばタングステンコバルト合金である超硬合金を用いることで耐摩耗性等を向上することができる。
【００２９】
柄部１３ａ，１３ｂは、医師等の作業者が握る部分である。柄部１３ａ，１３ｂの幅方向の外面２１ａ，２１ｂには、作業者が握る際の滑り止め用の凹凸部２３ａ，２３ｂが形成されている。なお、凹凸部２３ａ，２３ｂを省略し、或は凹凸部２３ａ，２３ｂに代えて他の滑り止め加工を施し、若しくは滑り止め部材を取り付けてもよい。
【００３０】
本実施例の柄部１３ａ，１３ｂは、結合部５に対する近位の一端部２５ａ，２５ｂから遠位の他端部２７ａ，２７ｂにかけて、幅方向の寸法が略一定で且つ本体部３ａ，３ｂが併設されている方向（以下、「併設方向」と称する。）で相互間が漸次離間するように傾斜している。なお、併設方向は、図１において左右方向である。
【００３１】
また、柄部１３ａ，１３ｂは、回転軸心方向の寸法が、結合部５側から凹凸部２３ａ，２３ｂの途中まで漸次大きくなった後、他端部２７ａ，２７ｂまで略一定となっている。柄部１３ａ，１３ｂの他端部２７ａ，２７ｂには、弾性部材７が設けられている。
【００３２】
この柄部１３ａ，１３ｂの他端部２７ａ，２７ｂから結合部５の回転軸心Ｏまでの長手方向の寸法Ｌ１は、把持部１１ａ，１１ｂの一端部１５ａ，１５ｂから結合部５の回転軸心Ｏまでの長手方向の寸法Ｌ２よりも大きくなっている。
【００３３】
弾性部材７は、一対の板ばね２９ａ，２９ｂによって構成されている。ただし、弾性部材７は、板ばね２９ａ，２９ｂに限らず、他の弾性部材、例えば圧縮ばね等によって構成することも可能である。
【００３４】
板ばね２９ａ，２９ｂは、柄部１３ａ，１３ｂの他端部２７ａ，２７ｂからそれぞれ延設され、端部が相互に結合されている。従って、板ばね２９ａ，２９ｂは、弾性力により柄部１３ａ，１３ｂを併設方向で相互に離間させると共に把持部１１ａ，１１ｂを相互に当接させるように付勢している。
【００３５】
板ばね２９ａ，２９ｂは、柄部１３ａ，１３ｂに一体又は別体に形成することが可能である。別体の場合は、柄部１３ａ，１３ｂに板ばね２９ａ，２９ｂの一端を結合する。
【００３６】
本実施例の板ばね２９ａ，２９ｂは、柄部１３ａ，１３ｂよりも幅方向の寸法が小さく略一定であり、且つ回転軸心方向の寸法が略一定である。
【００３７】
結合部５は、把持部１１ａ，１１ｂと柄部１３ａ，１３ｂとの間で、本体部３ａ，３ｂの対向する内面３１ａ，３１ｂに設けられ本体部３ａ，３ｂを相対回転自在に結合する。この結合部５は、回転軸心方向において、双方の本体部３ａ，３ｂの内面３１ａ，３１ｂの範囲内に設けられた構成となっている。
【００３８】
本実施例の結合部５は、一方の本体部３ａに設けられた第一舌部３３ａ，３３ｂと、他方の本体部３ｂに設けられた第二舌部３５と、第一舌部３３ａ，３３ｂ及び第二舌部３５を軸支する回転軸３７とを備えている。
【００３９】
第一舌部３３ａ，３３ｂは、一方の本体部３ａの内面３１ａから併設方向に凸曲面状に突設された板状部である。第一舌部３３ａ，３３ｂの凸曲面３９ａ，３９ｂは、曲率中心が回転軸心Ｏと一致している。
【００４０】
これら第一舌部３３ａ，３３ｂは、一方の本体部３ａの回転軸心方向の両側に設けられ、表面４１ａ，４１ｂがそれぞれ本体部３ａの滑り面９ａ，９ｂと面一となっている。
【００４１】
第二舌部３５は、他方の本体部３ｂの内面３１ｂから併設方向に凸曲面状に突設された板状部である。第二舌部３５は、回転軸心方向の中間部に設けられており、第一舌部３３ａ，３３ｂ間に配置される。第二舌部３５の回転軸心方向の両側には、第一舌部３３ａ，３３ｂを入れ込むための凹部４３ａ，４３ｂが区画されている。
【００４２】
凹部４３ａ，４３ｂは、第一舌部３３ａ，３３ｂに応じて、併設方向で他方の本体部３ｂの内面３１ｂに凹曲面状に形成されている。これにより、第一舌部３３ａ，３３ｂは、凹部４３ａ，４３ｂに入れ込まれた状態で、表面４１ａ，４１ｂがそれぞれ他方の本体部３ｂの滑り面９ａ，９ｂと面一になる。
【００４３】
また、凹部４３ａ，４３ｂの凹曲面４５ａ，４５ｂは、第一舌部３３ａ，３３ｂの凸曲面３９ａ，３９ｂと同様、曲率中心が回転軸心Ｏと一致している。従って、これら凹曲面４５ａ，４５ｂは、第一舌部３３ａ，３３ｂが凹部４３ａ，４３ｂ内に入れ込まれた状態で、第一舌部３３ａ，３３ｂの凸曲面３９ａ，３９ｂに合わされている。
【００４４】
すなわち、本体部３ａ，３ｂは、凹曲面４５ａ，４５ｂ及び凸曲面３９ａ，３９ｂを合わせ面として合わせた状態で併設されている。このため、本実施例の合わせ面は、回転軸心Ｏと一致する曲率中心を有する曲面状となっている。
【００４５】
合わせ面である凹曲面４５ａ，４５ｂ及び凸曲面３９ａ，３９ｂは、滑り面９ａ，９ｂに隣接する部分で滑り面９ａ，９ｂと面一の面上又は当該面から回転軸心方向の内側に偏倚した面上にのみ回転軸心方向の端部を有する（以下において、単に「合わせ面」と称する時は、合わせ面である凹曲面４５ａ，４５ｂ及び凸曲面３９ａ，３９ｂを意味する。）。本実施例では、滑り面９ａ，９ｂと面一の面上に合わせ面の回転軸心方向の端部が位置している。
【００４６】
このため、合わせ面間の隙間（クリアランス）は、滑り面９ａ，９ｂに隣接する部分において、滑り面９ａ，９ｂと面一の面上にのみ開口し、面方向に開口していない。
【００４７】
この合わせ面間の隙間は、本体部３ａ，３ｂの相対回転時に常に一定であるため、極めて小さいものとすることができる。例えば、本実施例では、０．１５ｍｍ程度となっている。
【００４８】
回転軸３７は、第一舌部３３ａ，３３ｂ及び第二舌部３５を回転軸心方向で挿通し、両者を相対回転自在に結合する。この回転軸３７により、本体部３ａ，３ｂは相対回転が可能となっている。
【００４９】
［持針器の動作］
本実施例の持針器１は、医師等の縫合作業の作業者が縫合針を把持する前において、弾性部材７の弾性力により柄部１３ａ，１３ｂが相互に離間するように付勢され、把持部１１ａ，１１ｂが内面１９ａ，１９ｂを接触させて当接している。
【００５０】
縫合針を把持する際には、作業者が本体部３ａ，３ｂの他端側の柄部１３ａ，１３ｂを握ることで、弾性部材７の弾性力に抗して本体部３ａ，３ｂを相対回転させて凹部４３ａ，４３ｂを相互に近接させる。これにより、本体部３ａ，３ｂの一端側の把持部１１ａ，１１ｂを相互に開くことができる。
【００５１】
このとき、柄部１３ａ，１３ｂの寸法Ｌ１が把持部１１ａ，１１ｂの寸法Ｌ２よりも長くなっているので、弾性部材７の弾性力を小さく設定でき、小さい操作力で容易に開くことができる。
【００５２】
把持部１１ａ，１１ｂを開いた後は、縫合針を把持部１１ａ，１１ｂ間に位置させ、操作力を弱めて把持部１１ａ，１１ｂを閉じる。これにより、縫合針を把持部１１ａ，１１ｂ間に介在させて把持することができる。この縫合針の把持状態は、弾性部材７の弾性力により維持できる。
【００５３】
こうして縫合針を把持した後は、縫合作業を行うことができる。縫合作業では、糸を本体部３ａ，３ｂの滑り面９ａ，９ｂに沿って柄部１３ａ，１３ｂ側から結合部５を越えて把持部１１ａ，１１ｂの一端部２５ａ，２５ｂ側へと滑らせることが行われる。
【００５４】
このとき、本実施例の持針器１では、滑り面９ａ，９ｂが結合部５の両側に渡って連続しているため、結合部５の合わせ面である凹曲面４５ａ，４５ｂ及び凸曲面３９ａ，３９ｂ間の各隙間（クリアランス）に引っ掛ることなく滑り面９ａ，９ｂに沿って糸を円滑に滑らせることができる。
【００５５】
しかも、結合部５の合わせ面は、回転軸心Ｏと一致する曲率中心を有する曲面状である構成となっているので、隙間を本体部３ａ，３ｂの相対回転時に常に一定にすることができる。従って、結合部５の合わせ面間の隙間を極めて小さいものに設定することができ、糸を滑らせる際には、合わせ面に糸が引っ掛り難くい。
【００５６】
また、結合部５の合わせ面間の隙間は、湾曲した状態であり、且つ滑り面９ａ，９ｂに隣接する部分において滑り面９ａ，９ｂと面一の面上でのみ開口することから、より糸が引っ掛り難い。
【００５７】
従って、本実施例の持針器１では、縫合作業を円滑に行わせることができる。
【００５８】
［実施例の効果］
以上説明したように、本実施例の持針器１は、一対の併設された棒状の本体部３ａ，３ｂと、本体部３ａ，３ｂの長手方向の一端側に設けられた把持部１１ａ，１１ｂと、本体部３ａ，３ｂの長手方向の他端側に設けられた柄部１３ａ，１３ｂと、把持部１１ａ，１１ｂと柄部１３ａ，１３ｂとの間で本体部３ａ，３ｂの対向する内面３１ａ，３１ｂに設けられ本体部３ａ，３ｂを相対回転自在に結合する結合部５と、本体部３ａ，３ｂの柄部１３ａ，１３ｂ間に取り付けられ柄部１３ａ，１３ｂを相互に離間させると共に把持部１１ａ，１１ｂを相互に当接させる弾性部材７とを備える。
【００５９】
そして、結合部５に対する柄部１３ａ，１３ｂの遠位の他端部２７ａ，２７ｂから結合部５の回転軸心Ｏまでの長手方向での寸法Ｌ１が、結合部５に対する把持部１１ａ，１１ｂの遠位の一端部１５ａ，１５ｂから結合部５の回転軸心Ｏまでの長手方向での寸法Ｌ２よりも大きいものとなっている。
【００６０】
従って、本実施例の持針器１は、把持部１１ａ，１１ｂ間に縫合針を介在させて弾性部材７により把持状態を維持することができ、簡易な構造で縫合針の把持状態の維持を可能とすると共に把持状態を維持するための係合部が不要であるから長寿命化を図ることができる。
【００６１】
このように構成しても、持針器１では、柄部１３ａ，１３ｂの寸法Ｌ１が把持部１１ａ，１１ｂの寸法Ｌ２よりも長いため、弾性部材７の弾性力を弱めつつ縫合針を確実に把持することを可能とし、縫合針の把持や把持の解除を行う際の作業者の操作力を弱めて、操作を円滑に行わせることができる。
【００６２】
また、本体部３ａ，３ｂは、回転軸心方向の少なくとも一方に、縫合用の糸を滑らせるための滑り面９ａ，９ｂを有し、滑り面９ａ，９ｂは、結合部５の両側にわたって連続するので、結合部５の合わせ面に引っ掛ることなく滑り面９ａ，９ｂに沿って糸を円滑に滑らせることができる。
【００６３】
また、結合部５は、本体部３ａ，３ｂ相互を本体部３ａ，３ｂが併設する併設方向で合わせる合わせ面が、滑り面９ａ，９ｂに隣接する部分で滑り面９ａ，９ｂと面一の面上にのみ回転軸心方向の端部を有する。
【００６４】
従って、結合部５の合わせ面間の隙間が、滑り面９ａ，９ｂに隣接する部分において滑り面９ａ，９ｂと面一の面上でのみ開口することから、糸を滑らせる際には、合わせ面に糸が引っ掛り難くすることができる。結果として、本実施例の持針器１では、縫合作業を円滑に行わせることが可能となる。
【００６５】
また、本実施例では、合わせ面が回転軸心Ｏと一致する曲率中心を有する曲面状であるから、合わせ面間の隙間を本体部３ａ，３ｂの相対回転時に常に一定にすることができる。従って、結合部５の合わせ面間の隙間を極めて小さいものに設定することができ、より合わせ面に糸が引っ掛り難くすることができる。しかも、合わせ面が湾曲形状であるから、さらに糸が引っ掛り難いものとなる。
【００６６】
さらに、結合部５は、回転軸心方向において、双方の本体部３ａ，３ｂの内面３１ａ，３１ｂの範囲内に設けられたので、滑り面９ａ，９ｂを滑らせている際に糸が引っ掛ることがない。結果として、本実施例の持針器１では、より円滑に縫合作業を行わせることが可能となる。
【００６７】
［変形例］
図６は、変形例に係る結合部の断面図である。
【００６８】
結合部５は、図６のように、第一舌部３３ａと第二舌部３５とを回転軸３７の中心に対して点対称に形成し、第一舌部３３ａ及び第二舌部３５の回転軸心方向の一側に凹部４３ａを区画したものである。その他は、上記実施例と同様である。
【００６９】
図７は、他の変形例に係る結合部の断面図である。
【００７０】
図７の変形例は、結合部５の合わせ面である第一舌部３３ａ，３３ｂの凸曲面３９ａ，３９ｂの回転軸心方向の端部を、滑り面９ａ，９ｂに隣接する部分において滑り面９ａ，９ｂと面一の面から回転軸心方向の内側に偏倚した面上に位置させたものである。その他は、上記実施例と同様である。
【００７１】
従って、図６及び図７の変形例においても、上記実施例と同様の作用効果を奏することができる。
【符号の説明】
【００７２】
１  持針器
３ａ、３ｂ  本体部
５  結合部
７  弾性部材
９ａ，９ｂ  滑り面
１１ａ，１１ｂ  把持部
１３ａ，１３ｂ  柄部
１５ａ，１５ｂ  一端部（把持部：遠位）
２７ａ，２７ｂ  他端部（柄部：遠位）
３９ａ，３９ｂ  凸曲面
４５ａ，４５ｂ  凹曲面
【図１】
0003217532.tif 000003
【図２】
0003217532.tif 000004
【図３】
0003217532.tif 000005
【図４】
0003217532.tif 000006
【図５】
0003217532.tif 000007
【図６】
0003217532.tif 000008
【図７】
0003217532.tif 000009
【手続補正書】
【提出日】平成30年6月14日(2018.6.14)
【手続補正１】
【補正対象書類名】実用新案登録請求の範囲
【補正対象項目名】請求項３
【補正方法】変更
【補正の内容】
【請求項３】
請求項２記載の持針器であって、
前記結合部は、前記本体部相互を前記本体部が併設された方向で合わせる合わせ面を有し、
前記合わせ面は、前記滑り面に隣接する部分で前記滑り面と面一の面上又は該面から前記回転軸心に沿った方向の内側に偏倚した面上にのみ前記回転軸心に沿った方向の端部を有する、
ことを特徴とする持針器。